(57)【要約】【課題】コンセント側のアダプタにプラグ側のアダプタ及びプラグを容易に接続することのできるマグネット式コンセントアダプタを提供する。【解決手段】コンセントに接続される一対の栓刃４が突設された第１のプラグ部Ａ、及び一対の端子ピン７が挿通される挿通孔８が貫設された第１のレセプタクル部Ｂを有する第１のアダプタ半体２と、一対の端子ピン７が突設された第２のプラグ部Ｃ、外部の負荷に接続されるプラグのプラグ栓刃を受ける刃受け部を有する第２のレセプタクル部Ｄを有する第２のアダプタ半体３とから構成され、第１のアダプタ半体２と第２のアダプタ半体３とは、第１のレセプタクル部Ｂに設けられたマグネット６と、第２のプラグ部Ｃに設けられた磁着片１４との間に作用する磁着力によって着脱自在に結合され、第１のレセプタクル部Ｂを、その底面部３ｂの法線方向と栓刃４の挿抜方向との為す角度が鈍角となるように配置した。【選択図】図１
2008269941.tif 000002
【特許請求の範囲】
【請求項１】
一面に既設のコンセントに挿抜可能な一対の栓刃が突設された第１のプラグ部、及び一面に一対の端子ピンが挿通される挿通孔が貫設されるとともに該挿通孔に挿通される端子ピンと前記栓刃とを電気的に接続する端子部を有する第１のレセプタクル部を一つの器体に備えて成る第１のアダプタ半体と、第１のレセプタクル部の端子部に電気的に接続可能な一対の端子ピンが突設された第２のプラグ部、及び第２のプラグ部に電気的に接続され且つ前記コンセントに挿抜可能なプラグに設けられたプラグ栓刃を受ける刃受け部を有する第２のレセプタクル部を一つの器体に備えて成る第２のアダプタ半体とから構成され、第１のアダプタ半体と第２のアダプタ半体の何れか一方に設けられたマグネットと、他方に設けられた磁性体から成る磁着片との間に作用する磁着力によって第２のアダプタ半体が第１のアダプタ半体に着脱自在に結合されるマグネット式コンセントアダプタであって、第１のレセプタクル部は、その前記一面の法線方向と前記栓刃の挿抜方向との為す角度が鈍角となるように配置されたことを特徴とするマグネット式コンセントアダプタ。
【請求項２】
前記第２のアダプタ半体は、その器体の外郭が軟質性を有する樹脂材料で覆われたことを特徴とする請求項１記載のマグネット式コンセントアダプタ。
【請求項３】
前記第１のアダプタ半体は、第１のレセプタクル部の端子部と第２のプラグ部の端子ピンとが電気的に接続されているか否かを表示する表示部を備えたことを特徴とする請求項１又は２記載のマグネット式コンセントアダプタ。
【請求項４】
前記第１のアダプタ半体は、第２のアダプタ半体が結合した際に第２のアダプタ半体の第２のプラグ部が嵌合する凹所を構成する壁部を備え、該壁部が透光性材料から成ることを特徴とする請求項１乃至３の何れか１項に記載のマグネット式コンセントアダプタ。
【発明の詳細な説明】
【技術分野】
【０００１】
本発明は、コンセントと該コンセントに接続可能なプラグとの間に介装され、コンセントとプラグとを磁着して接続可能とするマグネット式コンセントアダプタに関する。
【背景技術】
【０００２】
従来から、プラグのコードに外力が作用した時にコードの断線を防止したり、コードが接続されている電気機器の転倒を防止したりするために、マグネットを用いることで一般的なコンセントよりも弱い引抜力でコンセントからプラグが外れるようにしたマグネット式コンセントが用いられているが、このようなマグネット式コンセントは、通常用いられるコンセントとは異なり特殊な形状をしているため、電気工事業者による施工が必要であった。そこで、電気工事を施すことなくマグネット式コンセントと同様の機能を得るために、コンセントとプラグの間に介装されて、これらを磁着可能とするマグネット式コンセントアダプタが提供されており、例えば特許文献１に開示されているようなものがある。
【０００３】
この従来例は、図６に示すように、壁面に設けられたコンセント１０５側に接続する第１のアダプタ半体１００と、外部の負荷（図示せず）に接続されたプラグ１０７側に接続する第２のアダプタ半体１０１とから構成されるものであり、第１のアダプタ半体１００は、一面側に壁面に設けられたコンセント１０５のコンセント口１０６に接続可能な一対の栓刃１０２を備えた第１のプラグ部ａ、及び他面側に一対の端子ピン１０３が挿通される挿通孔（図示せず）が貫設されるとともに該挿通孔に挿通される端子ピン１０３と前記栓刃１０２とを電気的に接続する端子部（図示せず）を有する第１のレセプタクル部ｂを有し、第２のアダプタ半体１０１は、一面側に前記一対の端子ピン１０３を備えた第２のプラグ部ｃ、及び他面側にプラグ１０７のプラグ栓刃１０８が接続可能且つ第２のプラグ部ｃと電気的に接続された第２のレセプタクル部ｄを有し、第１のアダプタ半体１００と第２のアダプタ半体１０１とを、第１のレセプタクル部ｂに設けたマグネット（図示せず）と第２のプラグ部ｃに設けた磁着片１０４との間に作用する磁着力によって結合する。
【０００４】
また、第１のアダプタ半体１００の器体は、第１のプラグ部ａの栓刃１０２が設けられた一面と第１のレセプタクル部ｂの挿通孔が設けられた一面とが互いに直交するように形成されており、第１のアダプタ半体１００を壁面に設けられたコンセント１０５に接続した際に、第１のレセプタクル部ｂの前記一面が地面と対向するようになっている。而して、マグネット式コンセントアダプタが全体的にコンパクトになり、壁面からの突出量を抑えることができる。
【特許文献１】特開２００５−２４３３１２号公報
【発明の開示】
【発明が解決しようとする課題】
【０００５】
しかしながら、上記従来例では、第１のレセプタクル部ｂの前記一面が地面と対向するように配置されているので、第２のアダプタ半体１０１及びプラグ１０７を第１のアダプタ半体１００に結合する際に、手を地面側から回りこませて結合させなければならず、したがってプラグ１０７を接続する作業が困難であるという問題があった。
【０００６】
本発明は、上記の点に鑑みて為されたもので、コンセント側のアダプタにプラグ側のアダプタ及びプラグを容易に接続することのできるマグネット式コンセントアダプタを提供することを目的とする。
【課題を解決するための手段】
【０００７】
請求項１の発明は、上記目的を達成するために、一面に既設のコンセントに挿抜可能な一対の栓刃が突設された第１のプラグ部、及び一面に一対の端子ピンが挿通される挿通孔が貫設されるとともに該挿通孔に挿通される端子ピンと前記栓刃とを電気的に接続する端子部を有する第１のレセプタクル部を一つの器体に備えて成る第１のアダプタ半体と、第１のレセプタクル部の端子部に電気的に接続可能な一対の端子ピンが突設された第２のプラグ部、及び第２のプラグ部に電気的に接続され且つ前記コンセントに挿抜可能なプラグに設けられたプラグ栓刃を受ける刃受け部を有する第２のレセプタクル部を一つの器体に備えて成る第２のアダプタ半体とから構成され、第１のアダプタ半体と第２のアダプタ半体の何れか一方に設けられたマグネットと、他方に設けられた磁性体から成る磁着片との間に作用する磁着力によって第２のアダプタ半体が第１のアダプタ半体に着脱自在に結合されるマグネット式コンセントアダプタであって、第１のレセプタクル部は、その前記一面の法線方向と前記栓刃の挿抜方向との為す角度が鈍角となるように配置されたことを特徴とする。
【０００８】
請求項２の発明は、請求項１の発明において、第２のアダプタ半体は、その器体の外郭が軟質性を有する樹脂材料で覆われたことを特徴とする。
【０００９】
請求項３の発明は、請求項１又は２の発明において、第１のアダプタ半体は、第１のレセプタクル部の端子部と第２のプラグ部の端子ピンとが電気的に接続されているか否かを表示する表示部を備えたことを特徴とする。
【００１０】
請求項４の発明は、請求項１乃至３の何れか１項の発明において、第１のアダプタ半体は、第２のアダプタ半体が結合した際に第２のアダプタ半体の第２のプラグ部が嵌合する凹所を構成する壁部を備え、該壁部が透光性材料から成ることを特徴とする。
【発明の効果】
【００１１】
請求項１の発明によれば、第１のレセプタクル部を、端子ピンが挿通される挿通孔が貫設された一面の法線方向と既設のコンセントに挿抜される栓刃の挿抜方向との為す角度が鈍角となるように配置したので、前記法線方向と前記挿抜方向とが一致するように第１のレセプタクル部を配置した場合と比較して、水平方向における突出量を抑えることができ、前記法線方向と前記挿抜方向との為す角度が直角若しくは鋭角となるように第１のレセプタクル部を配置した場合と比較して、第２のアダプタ半体及びプラグを第１のアダプタ半体に対して容易に着脱することができる。
【００１２】
請求項２の発明によれば、第２のアダプタ半体の器体の外郭を軟質性を有する樹脂材料で覆ったので、プラグのコードを引くことで第１のアダプタ半体から第２のアダプタ半体及びプラグを外す際に、第２のアダプタ半体の器体を誤って地面に落ちた場合の衝撃から防ぐことができる。
【００１３】
請求項３の発明によれば、第１のレセプタクル部の端子部と第２のプラグ部の端子ピンとが電気的に接続されているかどうかを視認することができる。
【００１４】
請求項４の発明によれば、壁部によって第２のアダプタ半体を第１のアダプタ半体に正確に結合させることができる。また、壁部が透光性を有する材料から成るので第１のレセプタクル部の挿通孔に第２のプラグ部の端子ピンが確実に結合されているかどうかを視認することができる。
【発明を実施するための最良の形態】
【００１５】
以下、本発明に係るマグネット式コンセントアダプタの実施形態について図面を用いて説明する。本実施形態は、図１〜図３に示すように、一面に壁面に設けられたコンセント（図示せず）のコンセント口（図示せず）に挿抜可能な一対の栓刃４が突設された第１のプラグ部Ａ、及び一面に一対の端子ピン７が挿通される挿通孔８が貫設されるとともに該挿通孔８に挿通される端子ピン７と前記栓刃４とを電気的に接続する端子部（図示せず）を有する第１のレセプタクル部Ｂを第１の器体３に備えて成る第１のアダプタ半体２と、第１のレセプタクル部Ｂの端子部に電気的に接続可能な一対の端子ピン７が突設された第２のプラグ部Ｃ、及び第２のプラグ部Ｃに電気的に接続され且つ前記コンセントに挿抜可能なプラグ（図示せず）に設けられたプラグ栓刃（図示せず）を受ける刃受け部（図示せず）を有する第２のレセプタクル部Ｄを第２の器体１２に備えて成る第２のアダプタ半体３とから構成され、第１のアダプタ半体２と第２のアダプタ半体３とは、第１のレセプタクル部Ｂに設けられたマグネット６と、第２のプラグ部Ｃに設けられた磁性体から成る磁着片１４との間に作用する磁着力によって着脱自在に結合される。
【００１６】
第１のアダプタ半体２は、図２（ａ）〜（ｆ）に示すように、一対の栓刃４と、端子部と、一対の扉体５と、マグネット６とを第１の器体３に備えて成る。第１の器体３は、第１のプラグ部Ａの前記一面である前面部３ａ及び第１のレセプタクル部Ｂの前記一面である底面部３ｂを有し、前面部３ａから底面部３ｂにかけて湾曲する曲面形状に形成された略箱状の筐体から成り、前面部３ａには、前面部３ａの長手方向に沿って一対の栓刃４が並設されている。また、第１の器体３には、図２（ｃ）に示すように、第２のアダプタ半体３に設けられた端子ピン７が挿通自在な一対の挿通孔８を底面部３ｂの略中央部の短手方向に沿って並設され、マグネット６の端部が露出する略円形状の露出孔９を底面部３ｂの長手方向の両端部にそれぞれ２つずつ備えている。また、底面部３ｂの略中央部には、底面部３ｂの法線方向に突設された凸状の位置決め凸部１１が底面部３ｂの長手方向に沿って形成されている。
【００１７】
更に、第１の器体３の底面部３ｂ側には、図２（ｃ），（ｆ）に示すように、第２のプラグ部Ｃの前記一面側の端部と嵌合するような凹所を構成する壁部１０が一体に設けられている。壁部１０は、その内部空間から成る前記凹所の内周面が、第２のプラグＣを第１のレセプタクル部Ｂに誘導して第２のプラグ部Ｃと第１のレセプタクル部Ｂとを正確に結合するためのガイド部となる。また、壁部１０は、透光性材料により第１の器体３と別体に設けられているので、第１のレセプタクル部Ｂの挿通孔８に第２のプラグ部Ｃの端子ピン７が確実に結合されているかどうかを視認することができる。
【００１８】
端子部は、例えば、端子ピン７による押圧に対して撓むように形成された端子板（図示せず）上に銀ニッケル合金等を用いて形成されている。端子板は、端子部を挿通孔８に対応させて配置されるとともに、一対の栓刃４と各別に電気的に接続されて第１の器体３内に収納されている。
【００１９】
扉体５は、端子部と挿通孔８との間に介在して第１の器体３に２枚１組として収納配置されている。これら扉体５は、ばね等によってそれぞれ底面部３ｂの長手方向中央部側に弾発付勢されて、底面部３ｂの長手方向から互いに対向するように各挿通孔内に突出して、互いの端面を接触させて挿通孔８を閉塞することで端子部を保護するようになっている。また、扉体５は、端子ピン７により押圧されると、接触していた前記端面が互いに離反し、弾発付勢された方向と反対方向に移動して挿通孔８を開口し、端子ピン７を挿通孔８に挿通可能とするようになっている。
【００２０】
マグネット６は、例えば略円柱状の磁石から成り、その端部を露出孔９より露出させる形で第１の器体３内に収納されている。
【００２１】
第２のアダプタ半体３は、図３（ａ）〜（ｄ）に示すように、一対の端子ピン７と、一対の磁着片１４と、一対の刃受け部とを第２の器体１２に備えて成る。第２の器体１２は、略直方体状の筐体に形成され、図３（ａ）に示すように、その一面側の上面部１２ａの略中央部において一対の端子ピン７が短手方向に沿って並設されている。また、上面部１２ａの長手方向の両端部には、磁着片１４を配置する略円形状の配置部１３が設けられている。そして、他面側の下面部１２ｂの略中央部には、図３（ｃ）に示すように、電気機器等の負荷（図示せず）に備えられたプラグのプラグ栓刃が挿通自在な略円弧状のコンセント口１５を一対備えている。
【００２２】
上面部１２ａの略中央部には、上面部１２ａの法線方向に窪んだ凹状の位置決め凹部１６が上面部１２ａの長手方向に沿って形成されており、該位置決め凹部１６に第１のアダプタ半体２の位置決め凸部１１を嵌合することで、第１のアダプタ半体２と第２のアダプタ半体３との位置決めを行うことができる。
【００２３】
磁着片１４は、略円形状の磁性板から成り、上面部１２ａの配置部１３に各々一面を露出して配置され、第１のアダプタ半体２に備えられたマグネット６に吸着される。
【００２４】
刃受け部は、例えばプラグのプラグ栓刃を挟持する刃受けとなる刃受けばね（図示せず）を有し、刃受けばねを各コンセント口１５にそれぞれ対応させて配置されるとともに、端子ピン７の一端部と各別に電気的に接続されて第２の器体１２内に収納されている。また、プラグのプラグ栓刃には、一般に略円形状の孔部が設けられており、このため、プラグのプラグ栓刃の抜け止め手段として、プラグのプラグ栓刃を孔部で係止するための抜け止め突起（図示せず）を刃受けばねに設けている。而して、第２のレセプタクル部Ｄにプラグを接続した際に、プラグが第２のレセプタクル部Ｄから容易に外れなくなるので、第２のアダプタ半体３を第１のアダプタ半体２から取り外す際に、プラグが第２のレセプタクル部Ｄから外れる、若しくは半抜け状態となるのを防ぐことができる。
【００２５】
上記のように構成された第１のアダプタ半体２及び第２のアダプタ半体３は、第２のプラグ部Ｃの端子ピン７を第１のレセプタクル部Ｂの挿通孔８から扉体５を押し広げて第１の器体３内に挿入することで端子ピン７の先端部と端子部とを接触させ、第１のレセプタクル部Ｂのマグネット６に第２のプラグ部Ｃの磁着片１４を吸着させるとともに、第１のレセプタクル部Ｂの位置決め凸部１１を第２のプラグ部Ｃの位置決め凹部１６に嵌合することで互いに結合される（図１参照）。
【００２６】
ここで、本実施形態では、図１及び図２（ｆ）に示すように、第１の器体３を、その前面部３ａの法線方向と底面部３ｂの法線方向との為す角度が鈍角となるように形成している。即ち、第１のプラグ部Ａにおける栓刃４の挿抜方向と、第１のレセプタクル部Ｂにおける端子ピン７の挿抜方向との為す角度が鈍角となっているので、栓刃４の挿抜方向と端子ピン７の挿抜方向とが一致するように第１のレセプタクル部Ｂを配置した場合と比較して、水平方向における突出量を抑えることができ、また、従来例のように栓刃４の挿抜方向と端子ピン７の挿抜方向との為す角度が直角若しくは鋭角となるように第１のレセプタクル部Ｂを配置した場合と比較して、第２のアダプタ半体２及びプラグを第１のアダプタ半体１に対して容易に着脱することができる。
【００２７】
ところで、図４（ａ）〜（ｄ）に示すように、第２のアダプタ半体２の第２の器体１２の外周を、例えばエラストマー等の軟質性を有する樹脂材料から成る保護部１７で覆うように構成しても構わない。このように構成すれば、第１のアダプタ半体１から第２のアダプタ半体２を外す際に、誤って第２のアダプタ半体２を地面に落とした場合の衝撃を和らげることができ、したがって第２の器体１２の破損を防止することができる。尚、第２の器体１２は、コンセント口１５等の電気的に接触することで熱を帯びる部位があるので、例えばユリア樹脂等の耐熱性を有する樹脂材料で形成するのが望ましい。
【００２８】
また、図５（ａ）〜（ｄ）に示すように、第２のアダプタ半体２の第２の器体１２の一側面に、発光ダイオード等の発光素子１８ａを外部に露出した形で有する表示部１８を設けるように構成しても構わない。表示部１８内部には、発光素子１８ａを点灯させる点灯回路（図示せず）と、点灯回路への給電をオンオフするスイッチ機構（図示せず）とが収納されており、スイッチ機構は、第１のレセプタクル部Ｂの端子部と第２のプラグ部Ｃの端子ピン７とが電気的に接続されるとオンするようになっている。このように構成すれば、第１のレセプタクル部Ｂの端子部と第２のプラグ部Ｃの端子ピン７とが電気的に接続されているかどうかを発光素子１８ａの明滅によって視認することができる。
【図面の簡単な説明】
【００２９】
【図１】本発明の実施形態のマグネット式コンセントアダプタを示す概略図である。
【図２】同上の第１のアダプタ半体を示す図で、（ａ）は上面図で、（ｂ）は背面図で、（ｃ）は下面図で、（ｄ）は側面図で、（ｅ）は正面図で、（ｆ）は一部断面図である。
【図３】同上の第２のアダプタ半体を示す図で、（ａ）は上面図で、（ｂ）は側面図で、（ｃ）は下面図で、（ｄ）は他方の側面図である。
【図４】同上の第２のアダプタ半体の他の構成を示す図で、（ａ）は上面図で、（ｂ）は側面図で、（ｃ）は下面図で、（ｄ）は他方の側面図である。
【図５】同上の第２のアダプタ半体の更に他の構成を示す図で、（ａ）は上面図で、（ｂ）は側面図で、（ｃ）は下面図で、（ｄ）は他方の側面図である。
【図６】従来のマグネット式コンセントアダプタを示す概略図である。
【符号の説明】
【００３０】
１  第１のアダプタ半体
２  第２のアダプタ半体
３  第１の器体
４  栓刃
６  マグネット
７  端子ピン
８  挿通孔
１２  第２の器体
１４  磁着片
Ａ  第１のプラグ部
Ｂ  第１のレセプタクル部
Ｃ  第２のプラグ部
Ｄ  第２のレセプタクル部
【図１】
2008269941.tif 000003
【図２】
2008269941.tif 000004
【図３】
2008269941.tif 000005
【図４】
2008269941.tif 000006
【図５】
2008269941.tif 000007
【図６】
2008269941.tif 000008